(57)【特許請求の範囲】
【請求項１】
充填されたテイーバツグを群ごとに包装するための装置であつて、列保持子と列滑り子とによつて短形断面の樋の形状を有する積重ね筒内に固定されるバツグ列と、積み重ね筒の後に設けられかつ固定されたバツグ列を受容するため回転子軸を中心にして直径上にずらして設けられる２つのカセツトを備えた回転子と、列の列保持子と列滑り子とからなり、回転子の回転により回転せしめられかつカセツトから分離されたバツグ列を所定の位置にもたらされた箱の上に搬送するための搬送装置と、バツグ列を箱内に突き入れるための突入れ器とを備えたものにおいて、積重ね筒（１０）の入口範囲内に付加的に２つの相対向した定置式保持指（１６）が長手方向に移動可能なバッグ保持子（１７）と一緒に設けられており、バッグ送り器（１４）を介して個々に供給されるテイーバツグ（１１）が前記保持指（１６）の間で位置決めされていることを特徴とする装置。
【請求項２】
バツグ保持子（１７）が摩擦減衰されており、かつ相対向した個所で横から積重ね筒（１０）内に作用する２つの指（２１）を有することを特徴とする、請求項１に記載の装置。
【請求項３】
バツグ保持子（１７）の各指（２１）が滑り要素（２５）と強固に結合されており、該要素が圧力で付勢されて制動縁板（２６）に当接することを特徴とする、請求項２に記載の装置。
【請求項４】
制動縁板（２６）が凹面に構成されて、かつ前側範囲に少なくとも１つの横に延びた溝（２８）を有することを特徴とする、請求項３に記載の装置。
【請求項５】
バツグ保持子（１７）が、出発位置と設定可能な端位置との間を移動可能であり、端位置に達するとバツグ列（１２）を開放して、出発位置へと戻ることを特徴とする、請求項１ないし４の１つに記載の装置。
【請求項６】
積重ね筒（１０）内に設けられた列保持子（２９）と、搬送装置の列保持子（３７）が摩擦減衰されていることを特徴とする、請求項１ないし５の１つに記載の装置。
【請求項７】
積重ね筒（１０）の内部に、横に延びた案内縁板（２４）が設けられていることを特徴とする、請求項１ないし６の１つに記載の装置。
【請求項８】
２つのカセツト（３５，３６）が回転軸（３４）を中心に角度間隔を置いてずらして設けられていることを特徴とする、請求項１ないし７の１つに記載の装置。
【請求項９】
カセツト（３５，３６）内に対で横方向保持子（３９，４０）が設けられており、そのうち前側保持子対（３９）が定置式であり、後側保持子対（４０）が長手方向で調整可能であることを特徴とする、請求項８に記載の装置。
【請求項１０】
バツグ送り器（１４）の前に鉗子状つかみ装置（１３）が設けられており、該装置が公知構造のテイー包装機から、テイーバツグ（１１）を頭を下にして取り出すことを特徴とする、請求項１ないし９の１つに記載の装置。
【請求項１１】
つかみ装置（１３）の運動軌道上で積重ね筒（１０）の前に、その下側載置面の高さに、載置レール（１５）が設けられていることを特徴とする、請求項１０に記載の装置。
【発明の詳細な説明】
【０００１】
【産業上の利用分野】
本発明は、充填されたテイーバツグを群ごとに包装するための装置であつて、列保持子と列滑り子とによつて短形断面の樋の形状を有する積重ね筒内に固定されるバツグ列と、積み重ね筒の後に設けられかつ固定されたバツグ列を受容するため回転子軸を中心にして直径上にずらして設けられる２つのカセツトを備えた回転子と、列の列保持子と列滑り子とからなり、回転子の回転により回転せしめられかつカセツトから分離されたバツグ列を所定の位置にもたらされた箱の上に搬送するための搬送装置と、バツグ列を箱内に突き入れるための突入れ器とを備えたものに関する。
【０００２】
【従来の技術】
ドイツ連邦共和国特許出願公開第２４１２０６３号明細書により公知の、最初に述べられた種類の装置では、充填されたテイーバツグが搬送装置に直立させて運ばれ、区分け要素によつて所定数の群に区分けられ、列保持子と列滑り子とによつて列ごとに把持される。カセツト内に移された後、バツグ列は反転され、揺り動かして圧縮され、次に用意された箱内に突き入れられる。こうしてバツグ列が所定の長さの用意された箱に嵌まるように、バツグ内容物を殆ど均一に分布させて圧縮することが達成される。
【０００３】
このような装置は、一般に所定数のテイーバツグを有する同じ大きさのバツグ列を包装するように設計されている。必要に応じて１バツグ列のテイーバツグ数を、使用される箱のその都度の収容能力に適合するために、長い装備変更時間が必要であり、そのことから、望ましくないほどに長い機械停止時間が帰結する。しかもバツグ列のバツグ数を変更する場合にも、又テイー素材の性状に依存しても、バツグ内容物の最適分布を得るための前提条件が絶えず変化し、機械性能が高い場合、変化した実情に公知の装置を適合するために残された時間が少ない。それ故に、作業経過全体における障害はカセツト内でテイーバツグを付加的に揺り動かす等の手間のかかる措置によつてさえ、殆ど防止することができない。
【０００４】
ドイツ連邦共和国特許出願公開第１８００２４５号明細書により、バツグ群を形成してそれを箱内に導入するための別の装置が公知であり、そこでは１群のバツグが頭を交互に上下にしてまとめられている。従つてバツグは箱内で縦にされた緻密な全体形状を形成するのではあるが、しかしこの形状は取り出すとき各２番目のテイーバツグが逆さになつているので、顧客にとつて慣れを必要とする。この公知の装置でも、結束サイズの変更は大きな支出のもとでのみ可能である。
【０００５】
【発明が解決しようとする課題】
そこで本発明の課題は、箱の収容能力を最適に利用するために結束サイズの変更が問題なく可能であり、全包装過程の間テイー素材の殆ど均一な分布が維持される、景初に述べられた種類の装置を提供することである。
【０００６】
【課題を解決するための手段】
この課題は最初に述べられた種類の装置において、請求項１の特徴部分に指摘された特徴によつて解決される。
【０００７】
本発明で達成される利点は、特に個々のバツグが供給されて、いつでも保持指と長手方向に移動可能なバツグ保持子との間で直立状態で保持されたままとなることによつて、積重ね筒内ではじめてバツグ列が形成されることにある。こうして機械性能が高い場合でもバツグとバツグ列との厳密な分離及び固定が保証されている。従つて、１バツグ列のバツグ数は必要に応じて任意に変更することができ、そのために何らかの付加的措置、又は既存の装置部材の変更を必要とすることもない。しかもテイー素材の体積及び所定のバツグ数にかかわりなく、バツグ列の一定したかつ殆ど無圧の固定が保証されており、このことがテイー素材に対してもバツグ素材に対しても保護的に作用する。この状態が全包装過程の間維持され、箱の収容能力を最適に利用することができる。
【０００８】
本発明の有利な構成はその他の請求項に明示されている。請求項２ないし７に記載された展開は、実質的に列の形成から、列保持子とバツグ列を積重ね筒から後段に設けられたカセツト内に移す列滑り子とによる引取りにかけて、付加的安定化効果を可能とする。請求項８，９はカセットの構造措置を内容としており、これによりバツグ列の形成と突き入れとの間の装置の移行範囲でも、バツグの安定した固定が維持され、空時間が防止される。最後に請求項１０，１１に記載された有利な構成により、本発明による装置は従来のテイー包装機に接続可能とすることができる。その際、高速で取り出されるバツグの運動軌道の所要の変更によつてバツグの内部のテイー素材が片側にずれることのないように、十分に保証しておかねばならない。
【０００９】
【実施例】
本発明の実施例が図面に示されており、以下に詳しく説明される。
【００１０】
図面に略示された装置は、矩形横断面を有する樋の形状に構成された積重ね筒１０を有しており、該筒は充填された複数のテイーバツグ１１からなるバツグ列１２を形成しかつ受容する。バツグ１１は鉗子状つかみ装置１３によつて、前段に設けられた（図示しない）公知構造のテイー包装機から個々に引き取られて、バツグ送り器１４によつて積重ね筒１０に供給される。つかみ装置１３は積重ね筒１０の前でその下側載置面の高さに設けられた載置レール１５と協動する。積重ね筒１０の内部で入口範囲に横方向で２つの相対向した保持指１６が設けられており、該保持指は長手方向で定置式に、又長手方向を横切つて外方に弾力的に設けられており、かつバツグ１１の送り方向で傾斜導入面を有する。送り方向でバツグ１１又はバツグ列１２を保持するためにバツグ保持子１７が設けられており、これが２つの腕１８を有し、該腕は揺動可能に符号１９で定置式取付金具２０に枢着されている。腕１８の遊端にそれぞれ１つの二又状指２１が設けられており、該指は腕１８内に通されたピストン棒２２の末端に固着されている。腕１８とピストン棒２２とで形成されるピストン・シリンダ装置は、好ましくは図示されない圧縮空気源に接続されている。バツグ保持子１７の腕１８は、保持子がばねで付勢されて止め２３に当接する出発位置と、バツグ数に依存して変化可能な端位置との間を揺動可能である。
【００１１】
動作位置に進出して、相対向した個所で横から積重ね筒１０内に突出する指２１が保持指１６と一緒にバツグ固定部を形成し、該固定部はバツグ１１を積重ね筒１０内で所定の状態で直立させ、互いに平面的に隣接させて保持する。バツグの横方向固定を向上するために、内部で積重ね筒１０の側壁に付加的案内縁板２４が設けられている。各指２１にそれぞれ１つの滑り要素２５が固着されており、該要素はその頭側端面が指の先端に比べて後退しており、又指２１の進出状態のとき、積重ね筒１０の外壁に設けられた制動縁板２６に当接する。制動縁板２６はほぼ積重ね筒１０の全長にわたつて延び、かつ好ましくは合成樹脂からなる滑り面２７を有しており、該滑り面は腕１８の枢着点１９を基準に円弧状に構成されている。腕１８の出発位置の範囲で、滑り面２７は、好ましくは複数の横溝２８を備えており、該横溝は滑り要素２５が容易に係止できるように幅及び深さが形成されている。
【００１２】
積重ね筒１０内で仕上げられたバツグ列１２を引き取るために列保持子２９と列滑り子３０が設けられており、両者は好ましくは圧縮空気源（図示せず）に接続されて、静止位置のとき積重ね筒１０の外側にある。列保持子２９はピストン棒３１によつて、バツグ１１の送り方向とは逆に積重ね筒１０内に進入し、他方で列滑り子の逆運動はレバー装置３２を介して制御される。
【００１３】
積重ね筒１０の後段に符号３３とされた回転子が設けられており、回転子軸３４を中心に直径上でずらして設けられた２つのカセツト３５，３６が回転子上に収容されている（図４）。図１に示された動作位置のときカセツト３５が積重ね筒１０と整列する一方、カセツト３６は別の列保持子３７と列滑り子３８とからなる搬送装置と整列することになる位置にあり、搬送装置は好ましくはやはり空気圧で操作可能である。カセット３５，３６内に対で横方向保持子３９，４０が設けられており、そのうち前側保持子対３９は構造及び機能が保持指１６に一致し、他方で後側保持子対４０は長手方向で調整可能である。２つの保持子対３９，４０はカセツトの回転する間バツグ列１２を位置決めして保持する。搬送装置３７，３８はバツグ列１２をカセツト３６の出口側で所定の位置に運ばれた箱４１の上にずらし、この箱の上に突入れ器４２がある。
【００１４】
本発明による装置の動作様式は以下の如くである。
【００１５】
つかみ装置１３によつて個々に逆さにして載置レール１５上に置かれたテイーバツグ１１は、バツグ送り器１４によつて保持指１６の導入斜面を介して積重ね筒１０に押し込まれ、そこで出発位置にあるバツグ保持子１７の積重ね筒１０内に横から突出する指２１によつて直立状態で固定される。欠陥バツグはつかみ装置１３によつて引き取られた後、積重ね筒に突き入れられる前に、転向器によつて圧縮空気を利用して排除される。積重ね筒１０に装入する際に克服しなければならないバツグ保持子１７の摩擦力は、新たなバツグが到来する間にのみバツグ列に圧力が短時間加えられるように、しかしその他ではバツグ１１の一定したかつ殆ど無圧の固定が保証されているように、調整されている。バツグ保持子１７の出発位置の範囲で制動縁板２６に設けられた横溝２８は、列形成の初期段階のとき、バツグ列のなお十分ではない固有減衰が抵抗の高まりによつて補われるようにする。所定のバツグ数以降、列保持子２９は移行段階なしにバツグ列１２の保持を引き受け、バツグ保持子１７は列当たり所定のバツグ数に達する前に出発位置に戻ることができる。列当たり希望するバツグ数に達したなら、列滑り子３０が最後に数えられたバツグの背後に移動して、バツグ列１２全体を摩擦減衰された列保持子２９に抗して、用意されたカセツト３５，３６内に押し込み、カセツト内で保持子３９，４０はバツグ列の更なる固定を引き受ける。引取り開始直後に積重ね筒内で保持指１６とバツグ保持子１７との間で新たなバツグ列１２の形成が始まる。列保持子２９と列滑り子３０がカセツトから離れて出発位置に戻るのと同時に、回転子３３が回転し始める。回転子２２が１８０゜回転した後、積重ね筒１０に再び空のカセツトが用意され、他方でいまや回転されてバツグの底を下に向けたバツグ列１２は下側カセツト内で別の列保持子３７と列滑り子３８とによつて引き取られて、用意された箱４１の上方及び突入れ器４２の下方の位置にずらされる。突入れ器はバツグ列を横方向で固定し、突き入れる間列をしつかり保持する。箱内ではじめて固定が解除され、突入れ器が出発位置に戻る。
【図面の簡単な説明】
【図１】略示された作業経過中の本発明による装置の側面図である。
【図２】図１による装置の平面図である。
【図３】図１のＡ−Ａ線に沿つた断面図である。
【図４】図１のＢ−Ｂ線に沿つた断面図である。
【符号の説明】
１０  積重ね筒
１１  テイーバツグ
１４  バツグ送り器
１６  定置式保持指
１７  バツグ保持子
【図１】
0003719270.tif 000002
【図２】
0003719270.tif 000003
【図３】
0003719270.tif 000004
【図４】
0003719270.tif 000005